(57)【特許請求の範囲】
【請求項１】
誘引源、捕獲容器および電源を備えた、野外に棲息する徘徊性の陸棲節足動物の捕獲装置であって、前記誘引源は、緑色光を発する点光源としての発光ダイオード（ＬＥＤ）のみからなり、前記捕獲容器は、陸棲節足動物が誘引源に向かって土壌表面から該開口部まで到達できる側面と実質的に閉鎖された上底面とを有し、該側面には前記動物の進入口としての開口部が設けられ、該開口部は、捕獲容器内に進入した陸棲節足動物が逃亡できない高さに設けられていて、捕獲容器の側面の少なくとも一部が、底部をくりぬいた網かごを伏せて設けた、当該網かごのくりぬいた部分に捕獲容器の底部をはめ込んで取り付けることによって形成されたものである、前記捕獲装置。
【請求項２】
陸棲節足動物が、昆虫、ダンゴムシ類またはヨコエビ類であることを特徴とする、請求項１に記載の捕獲装置。
【請求項３】
昆虫が徘徊性昆虫であることを特徴とする、請求項２に記載の捕獲装置。
【請求項４】
徘徊性昆虫が、ゾウムシ類またはアリ類であることを特徴とする、請求項３に記載の捕獲装置。
【請求項５】
ゾウムシ類がイモゾウムシであることを特徴とする、請求項４に記載の捕獲装置。
【請求項６】
開口部が、２ｍｍ〜１５ｍｍの幅を有することを特徴とする、請求項１〜５のいずれかに記載の捕獲装置。
【請求項７】
電源が乾電池であることを特徴とする、請求項６に記載の捕獲装置。
【請求項８】
以下のステップを含むことを特徴とする、ゾウムシ類を捕獲する方法：
ａ）緑色光を発する発光ダイオード（ＬＥＤ）のみからなる誘引源、捕獲容器および電源を備えた、上底面が実質的に閉鎖されている捕獲装置を野外圃場の地表面に設置するステップ、ただし、前記捕獲容器は、ゾウムシ類が誘引源に向かって土壌表面から該開口部まで到達できる側面と、該側面に設けられたゾウムシ類の進入口としての開口部とを有し、該開口部は、捕獲容器内に進入したゾウムシ類が逃亡できない高さに設けられていて、捕獲容器の側面の少なくとも一部が、底部をくりぬいた網かごを伏せて設けた、当該網かごのくりぬいた部分に捕獲容器の底部をはめ込んで取り付けることによって形成されたものである、
ｂ）前記ＬＥＤから光を発せしめるステップ、および
ｃ）ゾウムシ類を前記ＬＥＤからの光によって前記捕獲容器内に誘引し、捕獲するステップ。
【請求項９】
ゾウムシ類がイモゾウムシである、請求項８に記載の方法。
【発明の詳細な説明】
【０００１】
【発明の属する技術分野】
本発明は、可視光を発光する発光ダイオード（ＬＥＤ）を光源として含むことを特徴とする、陸棲節足動物の捕獲装置に関する。
【０００２】
【従来の技術】
陸棲節足動物、特に昆虫類ならびにダンゴムシ類およびヨコエビ類等は、しばしばその生息密度の調査対象とされる。昆虫（害虫）の場合における、要防除密度または防除後の効果確認のための調査などがその例である。
【０００３】
前記密度調査においては、対象動物の捕獲装置が使われることが多い。すなわち、陸棲節足動物の捕獲装置は、捕獲した陸棲節足動物を殺してその防除を行うために直接利用されるばかりでなく、防除に際して不可欠な、防除対象の発生密度消長の正確な把握、すなわちモニタリングにも利用される。
【０００４】
例えば、前記捕獲装置に用いられる誘引源としては、フェロモン等の化学物質、食餌、色彩および光源等の、節足動物の嗅覚や視覚を刺激するものが用いられる。このような誘引源の中から、対象動物を最も効率的に誘引できるものを選択することは、効率的な防除およびモニタリングに重要である。
【０００５】
しかしながら、前記誘引源の選択あるいは探索は、一般的に容易ならざることである。例えば、節足動物の嗅覚に作用する物質を用いる場合においては、単一成分による誘引は効率的でない場合が多い。したがって、そのような場合には、さらなる成分の探索およびそれらの最適な混合比の決定が必要になる。
【０００６】
食餌を用いる場合も、捕獲装置の設置場所である圃場の作物の生育が進行するにつれて、捕獲数が減少して正確なモニタリングが不可能になる場合が多い。
【０００７】
また、陸棲節足動物の視覚を利用する場合においても、好適な色彩または光源から発せられる光の波長の最適化が必要になる。
【０００８】
陸棲節足動物捕獲装置のうち、昆虫の捕獲装置の例は、特開２００１−８６９１６号、特開平９−２４８１１７号および登録実用新案公報第３０４６４６４号に見出すことができる。
【０００９】
特開平９−２４８１１７号には、蚊および蛾のような飛翔性昆虫を捕獲するための、紫外線を発する発光ダイオード（ＬＥＤ）を利用した誘引装置が開示されている。
【００１０】
特願平８−５５８６５号には、イチモンジセセリ等の、飛翔性の水稲害虫昆虫の誘引捕獲器として、透光部および捕獲部を有し、外面の一部又は全部を青色および／またはオレンジ色とした装置が開示されている。該装置は光源を有していないが、一部又は全部が青色および／またはオレンジ色である外面の色彩を利用した捕獲装置である。
【００１１】
また、実願平９−８６２５号には昆虫誘引捕獲器の一形態とみなし得る誘蛾灯が開示されている。該誘蛾灯は、投光板、背板、漏斗等の部材に加えて、光源として短波長の４００ｎｍ付近の紫外線側青色光領域の発光が可能であるエレクトロルミニセントディスプレイ、ＬＥＤおよびプラズマディスプレイ等の発光形素子を備えてなるものである。
【００１２】
しかしながら、前記の公知捕獲装置は、いずれも昆虫、しかも飛翔性を有する昆虫のみを捕獲対象とするものである。したがって、徘徊性昆虫等の飛翔性を有さない昆虫を含む、陸棲節足動物へのそれらの適用は困難である。
【００１３】
また、昆虫は一般的に紫外線に誘引される性質を有するため、昆虫を捕獲対象として紫外線を発する光源を用いるものを圃場に設置して用いた場合には、誘引捕獲対象昆虫以外の動物も該圃場に誘引される恐れがある。しかも、紫外線は作物に悪影響を及ぼす可能性がある。したがって、これらの恐れを避けるため、紫外線を発する光源を用いるものに関しては設置場所が制限されるという欠点がある。
【００１４】
以上の理由により、改善された性能を有する、昆虫を初めとする陸棲節足動物捕獲装置の開発に対する強い要求が存在している。
【００１５】
【発明が解決しようとする課題】
したがって、本発明の課題は、飛翔性昆虫のみならず、徘徊性昆虫を含む昆虫ならびにダンゴムシ類およびヨコエビ類陸棲節足動物の防除またはモニタリングにも有効に用い得る、安全かつ利便性に優れた捕獲装置およびそのための捕獲方法を提供することにある。
【００１６】
【課題を解決するための手段】
上記課題に鑑み鋭意研究を重ねた結果、本発明者らは、ＬＥＤから発せられる可視光が陸棲節足動物に対する誘引効果を有すること、およびＬＥＤを光源として用いた捕獲装置が優れた捕獲効果を有することを見出し、本発明を完成するに至った。
【００１７】
すなわち、本発明は、誘引源、捕獲容器および電源を備えた陸棲節足動物の捕獲装置であって、前記誘引源は、可視光を発する発光ダイオード（ＬＥＤ）のみからなり、該発光ダイオードのうち、少なくとも１個は、緑色光を発することを特徴とする、前記捕獲装置に関する。
また、本発明は、陸棲節足動物が、昆虫、ダンゴムシ類またはヨコエビ類であることを特徴とする、前記捕獲装置に関する。
【００１８】
また、本発明は、昆虫が徘徊性昆虫であることを特徴とする、前記捕獲装置に関する。
さらに、本発明は、徘徊性昆虫が、ゾウムシ類またはアリ類であることを特徴とする、前記捕獲装置に関する。
また、本発明は、ゾウムシ類がイモゾウムシであることを特徴とする、前記捕獲装置に関する。
【００１９】
さらに、本発明は、誘引源として、青色、黄色および赤色のいずれかの色彩を有する可視光を発する発光体であるＬＥＤをさらに含むことを特徴とする、前記捕獲装置に関する。
さらにまた、本発明は、捕獲容器の開口部の幅が、２ｍｍ〜１５ｍｍであることを特徴とする、前記捕獲装置に関する。
また、本発明は、電源が乾電池であることを特徴とする、前記捕獲装置に関する。
【００２０】
そして、本発明は、以下のステップを含むことを特徴とする、陸棲節足動物を捕獲する方法：
ａ）発光ダイオード（ＬＥＤ）のみからなり、少なくとも１個は、緑色の可視光を発するＬＥＤである誘引源から光を発せしめるステップ、および
ｂ）該可視光に誘引された陸棲節足動物を捕獲するステップ
に関する。
【００２１】
また、本発明は、陸棲節足動物が、イモゾウムシであることを特徴とする、前記方法に関する。
【００２２】
本発明の捕獲装置に誘引源として用いるＬＥＤ（図１）は、白熱電球や蛍光灯等に比して分散性が小さい光を発する、均一な点光源として機能するため視認性に優れている。その結果、本発明による捕獲装置は、陸棲節足動物を定位せしめる効果が極めて優れている。
【００２３】
そのため、該ＬＥＤを誘引源として用いる本発明の捕獲装置を用いることによって、主として正の走光性を有する陸棲節足動物の捕獲効率を格段に高めることができる。
【００２４】
また、ＬＥＤは消費電力が少なく寿命が長いため、白熱電球や蛍光灯等の電気的な光源のみならず、ケミカルライトのような化学的発光体と比較しても、交換の手間と費用の面で有利である。
【００２５】
また、本発明の捕獲装置に用いるＬＥＤは、前記の通り点光源として機能するため、例えば圃場単位のような限定された範囲に生息する対象昆虫の誘引捕獲のみを行うことができる。そのため、誘引による外部の昆虫の侵入を防ぐことができ、かつ、正確なモニタリングを可能にするものである。
【００２６】
また、本発明の捕獲装置は乾電池やソラーバッテリーのような直流電源によって稼働し得るため、圃場の中央部あるいは地表面付近のような、一般の交流電源による駆動力を得にくいような場所にも設置することができる。したがって、本発明の捕獲装置を地表面付近等の低位置に設置することによって、徘徊性昆虫を初めとする陸棲節足動物の捕獲も可能である。
【００２７】
しかも、本発明の捕獲装置に誘引源として用いるＬＥＤは前記の通り点光源として機能するため、作物に対する影響が極めて少ないことに起因して、本発明の捕獲装置の設置場所の制限は、従来の捕獲装置に比して格段に小さい。
【００２８】
【発明の実施の形態】
以下に、本発明の捕獲装置および捕獲方法を詳細に説明する。
本発明の捕獲装置に用いられるＬＥＤ光源装置の例を図１に示した。ＬＥＤ、光量調節器、スイッチ、抵抗および乾電池等で構成される。
【００２９】
本発明の捕獲装置の捕獲対象であるゾウムシ類としては、典型的にはイモゾウムシ、アリモドキゾウムシおよびアルファルファタコゾウムシ等である。また、アリ類としては、トビイロシワアリおよびクロヤマアリ等が挙げられる。さらに、ダンゴムシ類としてはオカダンゴムシが、ヨコエビ類としてはハマトビムシ等がそれぞれ挙げられる。
【００３０】
本発明による捕獲装置は、陸棲節足動物の光に対する反応を利用するものであるため、現在使用されている塊根を誘引源とする捕獲装置のような食餌を用いた捕獲装置とは異なり、作物の生育状況によってその捕獲効果が影響を受けにくい。そのため、生育するに従って葉が著しく繁茂するサツマイモのような作物を寄主とする陸棲節足動物に対して特に有効である。このような陸棲節足動物の例としては、昆虫の一種であるイモゾウムシが挙げられる。
【００３１】
本発明の捕獲装置に用いられるＬＥＤは、可視光を発するものであれば特に制限なく用いることができる。捕獲対象動物によって光の色に対する選好性が異なる場合があるが、青色、緑色、黄色または赤色の光のいずれかを発するＬＥＤを選択することによって、捕獲効率を容易に最適化することが可能である。
【００３２】
例えば、イモゾウムシに対しては、青色、緑色、黄色および赤色の全ての色のＬＥＤ光に対する反応が認められる（図７）が、緑色光が他の色の光より誘引効果に優れていることが室内における実験で明らかになっている（図８）。したがって、本種に対しては、緑色光およびそれに次ぐ誘引効果を示した青色光を用いることが好適であると考えられる。
【００３３】
前記の最適化によって、作物への影響を軽減できることも、本発明による捕獲装置の特長である。
なお、青色、緑色、黄色または赤色の各色を有する光のピーク吸収波長の例は、それぞれ約４７０、５３０または５６０、５９０および６６０ｎｍである。
【００３４】
捕獲容器は、ＬＥＤを収容できる大きさ、および捕獲対象である節足動物の侵入口としての開口部を有し、かつ侵入した節足動物が逃亡しにくいものであれば特に制限はない。したがって、内部に昆虫を収容せしめる漏斗を有する一般的なもの、または小孔あるいはスリット等の開口部を有するもの等が、捕獲対象動物の種類および大きさ等によって任意に選択される。
【００３５】
前記開口部の幅は、捕獲対象節足動物の体幅に合わせて設定することができる。該開口部の幅と捕獲対象動物の体幅との差を小さくすることによって、非捕獲対象動物の侵入を防ぐこともできる。したがって、開口部の好適な幅は、通常２〜１５ｍｍである。
【００３６】
本発明による捕獲装置の捕獲容器には可視光を発するＬＥＤが収容されるため、該捕獲容器は可視光が透過可能な部分を含むことが必要である。例えば、捕獲容器の全体または一部を可視光透過可能な素材によって構成することが考えられる。該素材としては、取り扱い易さおよび価格などの点において、プラスチックが好適である。
【００３７】
あるいは、捕獲容器に孔またはスリットを設けることによって、部分的な可視光透過部を設けてもよい。これらの透過部として、動物を侵入させるための前記開口部を兼用することも可能である。
捕獲容器内部に脱出防止のための粉体が含まれていれば対象動物を生きたまま捕獲することが可能である。粉体として、炭酸カルシウム、タルク等が挙げられる。
【００３８】
また、捕獲容器内部に殺虫剤が含まれていれば、捕獲された対象動物をそのまま防除することも可能である。
殺虫剤の例としては、フェニトロチオン、ＤＤＶＰ、クロルピリホス、カルバリル、カルボスルファン、フィプロニル、イミダクロプリド等が挙げられる。
【００３９】
あるいは、捕獲容器内部に粘着板または粘着テープのような粘着部材を収容しておくことによっても、捕獲された対象動物の防除に供することが可能である。
【００４０】
【実施例】
以下に実施例によって本発明をさらに詳細に説明するが、いずれの実施例も、如何なる場合も本発明の範囲を制限するものではない。
（実施例１）ＬＥＤ光の誘引効果（野外試験）
▲１▼試験方法
葉や茎が繁茂するサツマイモ圃場においてＬＥＤ光の誘引効果をみるために試験を実施した。試験はあらかじめ成虫を圃場に放飼した後に行った。
ＬＥＤ光の光源としては、図１に示したものを用いた。
圃場内に9m×9mの調査区を設定し、1地点2,000頭ずつ9地点に成虫を放飼した(図２)。放飼後、プラスチック製かごにサツマイモ塊根のみを入れた捕獲装置と塊根に青色ＬＥＤ光源を添えた捕獲装置をそれぞれ8個ずつ設置した（図３）。捕獲装置設置の翌日から5日間にわたり、誘引された成虫を回収し個体数を調べた。なお、回収時に捕獲装置が置かれた場所から5cm以内の土壌表面で発見された個体は誘引されたものとみなした。
▲２▼結果
誘引試験の結果を図４に示した。いずれの回収日においても塊根に青色ＬＥＤ光源（図１）を添えた捕獲装置のほうが塊根のみの捕獲装置よりも誘引個体数が多かった。5日間の捕獲装置あたりの平均値±標準誤差でみると塊根に青色ＬＥＤ光源を添えた捕獲装置が44.3±5.9頭、塊根のみの捕獲装置が1.8±0.6頭であり、塊根に青色ＬＥＤ光源を添えた捕獲装置のほうが塊根のみの捕獲装置より約25倍多かった。
【００４１】
（実施例２）ＬＥＤ捕獲装置の作製
上述のサツマイモの塊根にＬＥＤ光源を添える方法では、誘引個体を捕獲する機能がないために効率的な回収ができない。そこで、いったん捕獲された個体が脱出できない構造で、かつ塊根を必要としない捕獲装置（ＬＥＤ捕獲装置）を開発した（図５）。このＬＥＤ捕獲装置の構造は以下のとおりである。
底部をくりぬいたステンレス製網かご１０（上部直径18.8cm、下部直径11.5cm、網目2mm）に捕獲容器１３（ふた１５付透明プラスチック製容器、上部直径12.0cm、底部直径10.0cm、深さ8.8cm）を取り付け（図５）、捕獲容器１３のふたにＬＥＤ光源７（図１）を収納するための光源容器１４（ふた付透明プラスチック製容器、外径7.8cm、深さ8.0cm）を取り付けた（図５）。光源容器１４にＬＥＤ光源７を入れた後、それを捕獲容器１３に取り付け、さらに雨水の浸入を防ぐために屋根６（透明なプラスチック製ボウル、上部直径21.0cm、下部直径11.4cm）を光源容器１４の上部に取り付けた（図５）。網かご１０より上部の捕獲容器１３側面に誘引個体の進入口８（直径3mm、96個）があり、進入口８より下部の容器９側面および底面には黒色の絶縁ビニールテープが巻き付けられてＬＥＤ光がもれないような構造になっている（図５）。光に反応した個体が網かご１０の側面を登って進入口８へ誘導される仕組みである（図５）。捕獲容器１３の内面１１に滑落させるための炭酸カルシウムを塗布し、容器内に入った個体の脱出を防いだ（図５）。なお、ステンレス製網かご１０を用いて個体の進入位置を地面より高くしたのは、雨水の浸入を防ぐためである。
【００４２】
（実施例３）ＬＥＤ捕獲装置の捕獲効率
▲１▼試験方法
図２に示したサツマイモ圃場および調査区において、ＬＥＤ捕獲装置の捕獲効率をみるために試験を実施した。実施例１と同様、調査区内に１地点2,000頭ずつ9地点に成虫を放飼した後、青色ＬＥＤ光源を取り付けた捕獲装置（試験区）とＬＥＤを取り付けない同型の捕獲装置（対照区）をそれぞれ8個ずつ設置した。そして、7日後に試験区および対照区の捕獲装置に捕獲された個体を回収した（実験１）。さらに、新たに同数の成虫を放飼し、両捕獲装置の配置をすべて置き換えて同様の試験を実施した（実験２）。
▲２▼結果
ＬＥＤ捕獲装置の捕獲効率試験の結果を表１に示した。
【表１】
0003736793.tif 000002
実験１および実験２ともに対照区に比べて試験区の捕獲装置のほうに多くのイモゾウムシ成虫が捕獲された。放飼した個体に対する対照区の全捕獲装置、7日間の回収率は、実験１および実験２ともに0.1%にも満たなかったのに対し、試験区の回収率は実験１が4.5%、実験が3.2%であった。
【００４３】
（実施例４）ＬＥＤの発光色に対するイモゾウムシの反応
▲１▼試験方法
図６に示す検定装置を用いて、青、緑、黄および赤色ＬＥＤに対するイモゾウムシの反応を調べた。使用したＬＥＤのピーク波長は青、緑、黄および赤色それぞれ、470、530、590および660nmであった。
全暗の部屋に検定装置を設置し、図中の片側の捕獲容器１６の外（捕獲装置１６からの距離5cm）にＬＥＤを置き、光源を置かない他方の捕獲容器１８を対照区とした。そして、夕刻17:30〜18:00に装置の中央１７に未交尾の成虫50頭をプラスチック製容器に入れて放飼し、翌朝8:30〜9:00に両捕獲容器１６および１８に捕獲された虫数を調べた。雌雄別々に試験を行い、ＬＥＤの位置を変えながら、それぞれ８回繰り返した。
▲２▼結果
試験結果を図７に示した。イモゾウムシは雌雄ともに青、緑、黄および赤色のいずれのＬＥＤ光に対しても正の走光性を示し、供試虫の８０％以上がＬＥＤ光源を置いた側の捕獲容器に捕獲された。
【００４４】
（実施例５）ＬＥＤの発光色に対するイモゾウムシの選好性
▲１▼試験方法
ＬＥＤの発光色に対するイモゾウムシの選好性を調べるために図6に示す検定装置を用いて、光量子量を一定にして青色−緑色、青色−黄色、青色−赤色、緑色−黄色、緑色−赤色および黄色ー赤色の組合せで比較試験を行った。使用したＬＥＤのピーク波長は青、緑、黄および赤色それぞれ、470、530、590および660nmであった。
全暗の部屋に検定装置を設置し、図中の両側の捕獲容器１６および１８の外（捕獲装置１６からの距離5cm）に発光色の異なるＬＥＤを置いた。そして、夕刻17:30〜18:00に装置の中央１７に未交尾の成虫50頭をプラスチック製容器に入れて放飼し、翌朝8:30〜9:00に両捕獲容器１６および１８に捕獲された虫数を調べた。雌雄別々に試験を行い、ＬＥＤの位置を変えながら、それぞれ12回繰り返した。
▲２▼結果
試験結果を図８に示した。青色−緑色では緑色側に多く誘引された。青色−黄色および青色−赤色ではともに青色側に多く誘引された。緑色−黄色および緑色−赤色ではともに緑色側に多く誘引された。黄色−赤色では黄色側に多く誘引された。以上をまとめるとＬＥＤの発光色に対するイモゾウムシの選好性は緑色＞青色＞黄色＞赤色であった。
【００４５】
【発明の効果】
本発明の捕獲装置または捕獲方法によれば、飛翔性昆虫のみならず、徘徊性昆虫ならびにダンゴムシ類およびヨコエビ類等陸棲節足動物の防除またはモニタリングが、安全かつ利便性に優れた形態によって行われる。
【図面の簡単な説明】
【図１】  ＬＥＤ光源の例を示す写真図である。
【図２】  圃場試験における捕獲装置の配置を示す図である。
【図３】  サツマイモの塊根のみによる捕獲装置およびサツマイモの塊根にＬＥＤを添えた捕獲装置を示す写真図である。
【図４】  塊根のみによる捕獲装置およびサツマイモの塊根にＬＥＤを添えた捕獲装置の、イモゾウムシ誘引効果を示す図である。
【図５】  ＬＥＤ捕獲装置の例を示す図である。
【図６】  イモゾウムシの選好性を調べるために用いた検定装置を示す図である。
【図７】  ＬＥＤの発光色に対するイモゾウムシの反応を示す図である。
【図８】  ＬＥＤの発光色に対するイモゾウムシの選好性を示す図である。
【符号の説明】
１…ＬＥＤ
２…スイッチ
３…光量調節器
４…基盤
５…乾電池
６…屋根
７…ＬＥＤ光源
８…進入口
９…進入口８より下部の容器
１０…網かご
１１…捕獲容器１３の内面
１２…乾電池
１３…捕獲容器
１４…ＬＥＤ光源容器
１５…捕獲容器のふた
１６…捕獲容器
１７…放飼地点
１８…捕獲容器
【図１】
0003736793.tif 000003
【図２】
0003736793.tif 000004
【図３】
0003736793.tif 000005
【図４】
0003736793.tif 000006
【図５】
0003736793.tif 000007
【図６】
0003736793.tif 000008
【図７】
0003736793.tif 000009
【図８】
0003736793.tif 000010